【手続補正書】
【提出日】平成18年11月2日(2006.11.2)
【手続補正１】
【補正対象書類名】特許請求の範囲
【補正対象項目名】全文
【補正方法】変更
【補正の内容】
【特許請求の範囲】
【請求項１】
長手方向に延びる形状を有し、その長手方向の両端部の接線の交差角度が２度以上である湾曲したガラス管と、
前記ガラス管に封止され、前記ガラス管に沿って湾曲する可撓性を有する１又は複数個の発熱体と、
を有し、
前記発熱体は多角形形状を有し、前記発熱体の平面部が凸状または凹状に湾曲していることを特徴とする赤外線電球。
【請求項２】
前記ガラス管が、その長手方向の両端部の接線の交差角度が９０度以下になるように湾曲することを特徴とする請求項１に記載の赤外線電球。
【請求項３】
前記発熱体は板状の形状を有し、前記発熱体の最も面積が広い面が凸状又は凹状に湾曲していることを特徴とする請求項１に記載の赤外線電球。
【請求項４】
前記発熱体は板状の形状を有し、前記発熱体の最も面積が広い面がほぼ同一平面上にあるように湾曲することを特徴とする請求項１に記載の赤外線電球。
【請求項５】
前記ガラス管の外周に設けられた、長手方向に沿って湾曲する反射膜を更に有することを特徴とする請求項１に記載の赤外線電球。
【請求項６】
前記ガラス管に密着して若しくは所定の距離をおいて設けられた、長手方向に沿って湾曲する反射板を更に有することを特徴とする請求項１に記載の赤外線電球。
【請求項７】
前記ガラス管は両端部に前記発熱体を保持する保持部材を有し、少なくとも前記保持部材の周りにおいて、前記ガラス管は直線状に延びていることを特徴とする請求項１に記載の赤外線電球。
【請求項８】
前記発熱体が、複数の発熱体を接続部材を介して縦続接続したものであることを特徴とする請求項１に記載の赤外線電球。
【請求項９】
前記発熱体が炭素系物質であることを特徴とする請求項１から請求項８のいずれかの請求項に記載の赤外線電球。
【請求項１０】
前記発熱体が、前記ガラス管の内側に設けられた凸部にて配設されることを特徴とする請求項１から請求項９のいずれかの請求項に記載の赤外線電球。
【請求項１１】
請求項１から請求項１０のいずれかの請求項に記載の赤外線電球を有することを特徴とする加熱装置。
【請求項１２】
前記赤外線電球の凸状又は凹状の湾曲面に垂直な面に含まれる回転軸を中心として、前記発熱体を回転させることを特徴とする請求項１１に記載の加熱装置。
【請求項１３】
凸状に湾曲した複数の前記赤外線電球を所定の間隔を空けて前記赤外線電球の長手方向に配列したことを特徴とする請求項１１に記載の加熱装置。
【請求項１４】
凸状又は凹状に湾曲した複数の前記赤外線電球を所定の間隔を空けて並列に配列したことを特徴とする請求項１１に記載の加熱装置。
【請求項１５】
凸状又は凹状に湾曲した複数の前記赤外線電球を１つの円周上に略配列したことを特徴とする請求項１１に記載の加熱装置。
【請求項１６】
暖房器又は調理器であることを特徴とする請求項１１に記載の加熱装置。
【請求項１７】
炭素系物質を含むビレットを押し出し加工し、押し出された部材を湾曲させる押し出し成型ステップと、
前記湾曲した部材を焼成する焼成ステップと、
を有することを特徴とする発熱体の製造方法。
【請求項１８】
直線状のガラス管を製造するガラス管製造ステップと、
前記ガラス管に可撓性を有する１又は複数個の発熱体を封止する封止ステップと、
前記発熱体が封止された前記ガラス管を加熱して湾曲させる湾曲ステップと、
を有することを特徴とする赤外線電球の製造方法。
【請求項１９】
直線状のガラス管を製造するガラス管製造ステップと、
前記ガラス管を加熱して湾曲させる湾曲ステップと、
湾曲した前記ガラス管に可撓性を有する１又は複数個の発熱体を封止する封止ステップと、
を有することを特徴とする赤外線電球の製造方法。
【請求項２０】
可撓性を有する１又は複数個の発熱体を封止した湾曲した前記ガラス管を加熱し、前記ガラス管の内側に凸部を形成する凸部形成ステップを更に有することを特徴とする請求項１８又は請求項１９に記載の赤外線電球の製造方法。
【手続補正２】
【補正対象書類名】明細書
【補正対象項目名】０００６
【補正方法】変更
【補正の内容】
【０００６】
上記課題を解決するため、本発明は下記の構成を有する。請求項１に記載の発明は、長手方向に延びる形状を有し、その長手方向の両端部の接線の交差角度が２度以上である湾曲したガラス管と、前記ガラス管に封止され、前記ガラス管に沿って湾曲する可撓性を有する１又は複数個の発熱体と、を有し、前記発熱体は多角形形状を有し、前記発熱体の平面部が凸状または凹状に湾曲していることを特徴とする赤外線電球である。凸状に発熱体を湾曲させることにより、発熱体の長手方向に、発熱体の長さより広い輻射範囲を有する赤外線電球を実現できる。凹状に発熱体を湾曲させることにより、発熱体の長手方向に、発熱体の長さより狭い輻射範囲で局所的に大きい輻射強度を有する赤外線電球を実現できる。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
請求項２に記載の発明は、前記ガラス管が、その長手方向の両端部の接線の交差角度が９０度以下になるように湾曲することを特徴とする請求項１に記載の赤外線電球である。例えば本発明の赤外線電球を一端が床に垂直になり、他端が天井を仰ぐ様に配置した暖房装置は、所定の方向に床から天井まで加熱する。反射板又は反射膜を凹に設けることにより熱が後ろに逃げることはない。更に、赤外線電球を床に垂直な軸を中心として所定角度範囲をスイングさせることにより、部屋の所定範囲を床から天井まで広く暖めることが出来る。
【手続補正６】
【補正対象書類名】明細書
【補正対象項目名】００１０
【補正方法】変更
【補正の内容】
【００１０】
請求項３に記載の発明は、前記発熱体は板状の形状を有し、前記発熱体の最も面積が広い面が凸状又は凹状に湾曲していることを特徴とする請求項１に記載の赤外線電球である。発熱体は、その長手方向に垂直な面内において、最も面積が広い面に垂直な方向に強い輻射強度分布特性（強い指向性）を有する。本発明の赤外線電球においては、長手方向に垂直な面内と、長手方向との両方に指向性を持たせることができる故に、局所的に強い輻射強度を有する赤外線電球、又は長手方向に垂直な面内において強い指向性を有し長手方向に拡散した輻射強度分布特性を有する赤外線電球を実現できる。好ましくは発熱体が炭素系発熱体で構成され、且つ最も面積が広い面の幅がその厚さの５倍以上である。
【手続補正７】
【補正対象書類名】明細書
【補正対象項目名】００１１
【補正方法】変更
【補正の内容】
【００１１】
請求項４に記載の発明は、前記発熱体は板状の形状を有し、前記発熱体の最も面積が広い面がほぼ同一平面上にあるように湾曲することを特徴とする請求項１に記載の赤外線電球である。例えば発熱体を平面で所定の中心角度を有する円弧に形成し、ガラス管に固定して赤外線電球を形成する。発熱体の最も面積が広い面の全体が、直線状の発熱体の長さと比較して狭い領域に形成される。これにより、発熱体の最も面積が広い面が形成された狭い領域に垂直な方向に、実効的に赤外線の強い指向性（強い輻射強度分布特性）が得られる。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
請求項５に記載の発明は、前記ガラス管の外周に設けられた、長手方向に沿って湾曲する反射膜を更に有することを特徴とする請求項１に記載の赤外線電球である。発熱体は、その長手方向に垂直な面内において、反射膜により強い輻射強度分布特性（強い指向性）を有する。本発明の赤外線電球においては、長手方向に垂直な面内と、長手方向との両方に指向性を持たせることができる故に、局所的に強い輻射強度を有する赤外線電球、又は長手方向に垂直な面内において強い指向性を有し長手方向に拡散した輻射強度分布特性を有する赤外線電球を実現できる。反射膜は発熱体に沿って同一半径で湾曲する故に、別個に作った反射板をガラス管に取り付けるより高い精度で所定の指向性を実現できる。
【手続補正１０】
【補正対象書類名】明細書
【補正対象項目名】００１４
【補正方法】変更
【補正の内容】
【００１４】
請求項６に記載の発明は、前記ガラス管に密着して若しくは所定の距離をおいて設けられた、長手方向に沿って湾曲する反射板を更に有することを特徴とする請求項１に記載の赤外線電球である。発熱体は、その長手方向に垂直な面内において、反射板により強い輻射強度分布特性（強い指向性）を有する。本発明の赤外線電球においては、長手方向に垂直な面内と、長手方向との両方に指向性を持たせることができる故に、局所的に強い輻射強度を有する赤外線電球、又は長手方向に垂直な面内において強い指向性を有し長手方向に拡散した輻射強度分布特性を有する赤外線電球を実現できる。
【手続補正１１】
【補正対象書類名】明細書
【補正対象項目名】００１５
【補正方法】変更
【補正の内容】
【００１５】
請求項７に記載の発明は、前記ガラス管は両端部に前記発熱体を保持する保持部材を有し、少なくとも前記保持部材の周りにおいて、前記ガラス管は直線状に延びていることを特徴とする請求項１に記載の赤外線電球である。ガラス管が保持部材近傍で直線状に延びている故に、保持部材が発熱体を固定した部分で保持部材と発熱体との間に、及び保持部材とガラス管との間に無理な応力が働かない。本発明の赤外線電球は組み立て易く、高い信頼性を有する。
【手続補正１２】
【補正対象書類名】明細書
【補正対象項目名】００１６
【補正方法】変更
【補正の内容】
【００１６】
請求項８に記載の発明は、前記発熱体が、複数の発熱体を接続部材を介して縦続接続したものであることを特徴とする請求項１に記載の赤外線電球である。本発明は、発熱体単体の長さより長い赤外線電球を実現する。本発明は、長手方向に発熱体の長さより広い輻射範囲を有する任意の長さの赤外線電球、又は発熱体単体の長さより長い赤外線電球であって、局所的に大きい輻射強度を有する任意の長さの赤外線電球を実現できる。
【手続補正１３】
【補正対象書類名】明細書
【補正対象項目名】００１７
【補正方法】変更
【補正の内容】
【００１７】
請求項９に記載の発明は、前記発熱体が炭素系物質であることを特徴とする請求項１から請求項８のいずれかの請求項に記載の赤外線電球である。炭素系物質で形成された発熱体は以下のような種々の特徴を有する。高い赤外線放射率を有する故に、食品の加熱に使用すると短時間で加熱ができ料理の味も良い。輻射効率が高い為、輻射により暖める暖房装置にも適している。通電開始の瞬間の突入電流が小さく、制御回路が簡単なもので良い。突入電流が小さいのでノイズによる周辺機器への影響も無い。通電開始後、極めて短時間で所定の温度に達する。本発明の赤外線電球は、これらの特徴と、発熱体の長手方向に、発熱体の長さより広い又は狭い輻射範囲を有するという特徴を生かして、種々の用途の加熱装置に使用することが出来る。
【手続補正１４】
【補正対象書類名】明細書
【補正対象項目名】００１８
【補正方法】変更
【補正の内容】
【００１８】
請求項１０に記載の発明は、前記発熱体が、前記ガラス管の内側に設けられた凸部にて配設されることを特徴とする請求項１から請求項９のいずれかの請求項に記載の赤外線電球である。本発明によれば、ガラス管に凸部を設けることにより、発熱体がガラス管壁に直接触れる面積を小さくして、ガラス管の表面温度が上昇することを防ぐことができる。赤外線電球の寿命は延びる。好ましくは、凸部を発熱体の湾曲面の曲率中心に近い側に設け、発熱体をガラス管の略中央に配設する。これにより、発熱体を安定して保持することができ、ガラス管の表面温度の上昇を防ぐことができる。発熱体の曲率半径を所定の値に維持でき、且つ熱がガラス管に逃げにくいため、発熱体の放射効率も良くなる。
【手続補正１５】
【補正対象書類名】明細書
【補正対象項目名】００１９
【補正方法】変更
【補正の内容】
【００１９】
請求項１１に記載の発明は、請求項１から請求項１０のいずれかの請求項に記載の赤外線電球を有することを特徴とする加熱装置である。本発明は、上記の作用を有する加熱装置を実現する。
【手続補正１６】
【補正対象書類名】明細書
【補正対象項目名】００２０
【補正方法】変更
【補正の内容】
【００２０】
請求項１２に記載の発明は、前記赤外線電球の凸状又は凹状の湾曲面に垂直な面に含まれる回転軸を中心として、前記発熱体を所定の角度（３６０度でも良い。）回転させることを特徴とする請求項１１に記載の加熱装置である。
例えば発熱体を凸状に湾曲させた本発明の赤外線電球を一端が床に垂直になり、他端が天井を仰ぐ様に配置した暖房装置は、所定の方向に床から天井まで加熱する。熱が後ろに逃げることはない。赤外線電球を床に垂直な回転軸を中心として所定角度範囲を回転させることにより、部屋の所定範囲を床から天井まで広く暖めることが出来る。
例えば発熱体を凹状に湾曲させた本発明の赤外線電球を凹面を上にして水平方向に回転可能に保持する加熱調理器は、発熱体の長手方向の中心の真上近傍で、発熱体の両端を結ぶ回転中心軸近傍に置いた被加熱物に赤外線を集中して放射する。赤外線電球を回転軸を中心として所定角度範囲で回転させることにより、被加熱物を真下からのみならず所定の角度範囲からまんべんなく加熱する故、被加熱物を美味に焼き上げることができる。
【手続補正１７】
【補正対象書類名】明細書
【補正対象項目名】００２１
【補正方法】変更
【補正の内容】
【００２１】
請求項１３に記載の発明は、凸状に湾曲した複数の前記赤外線電球を所定の間隔を空けて前記赤外線電球の長手方向に配列したことを特徴とする請求項１１に記載の加熱装置である。従来の真っ直ぐな赤外線電球を複数個の所定の間隔を空けて長手方向に配列した加熱装置においては、隣接する２つの赤外線電球の間において赤外線の放射強度が弱くなる。本発明の加熱装置においては、赤外線電球の中心部の赤外線放射強度と、隣接する２つの赤外線電球の間の赤外線放射強度とを同一にすることができる。本発明は、長手方向に均一な赤外線の輻射強度分布特性を有する加熱装置を実現できる。
【手続補正１８】
【補正対象書類名】明細書
【補正対象項目名】００２２
【補正方法】変更
【補正の内容】
【００２２】
請求項１４に記載の発明は、凸状又は凹状に湾曲した複数の前記赤外線電球を所定の間隔を空けて並列に配列したことを特徴とする請求項１１に記載の加熱装置である。
凸状に湾曲した複数の赤外線電球を所定の間隔を空けて並列に配列することにより、赤外線電球の長さより広い幅と、並列配列された両端の赤外線電球間の長さとを有する領域を均一に加熱する加熱装置を実現できる。
凹状に湾曲した複数の赤外線電球を所定の間隔を空けて並列に配列することにより、赤外線電球の長さより狭い幅と、並列配列された両端の赤外線電球間の長さとを有する領域を高い輻射強度で均一に加熱する加熱装置を実現できる。
【手続補正１９】
【補正対象書類名】明細書
【補正対象項目名】００２３
【補正方法】変更
【補正の内容】
【００２３】
請求項１５に記載の発明は、凸状又は凹状に湾曲した複数の前記赤外線電球を１つの円周上に略配列したことを特徴とする請求項１１に記載の加熱装置である。
凸状に湾曲した複数の赤外線電球を１つの円周上に略配列することにより、外側にほぼ３６０度の均一な赤外線放射強度を有する加熱装置を実現できる。
凹状に湾曲した複数の前記赤外線電球を１つの円周上に略配列することにより、内側にほぼ３６０度の均一な赤外線放射強度を有する加熱装置を実現できる。
【手続補正２０】
【補正対象書類名】明細書
【補正対象項目名】００２４
【補正方法】変更
【補正の内容】
【００２４】
請求項１６に記載の発明は、暖房器又は調理器であることを特徴とする請求項１１に記載の加熱装置である。本発明は、湾曲した赤外線電球を用いることにより、局所的に又は広い範囲で加熱する暖房器又は調理器を実現する。
【手続補正２１】
【補正対象書類名】明細書
【補正対象項目名】００２５
【補正方法】変更
【補正の内容】
【００２５】
請求項１７に記載の発明は、炭素系物質を含むビレットを押し出し加工し、押し出された部材を湾曲させる押し出し成型ステップと、前記湾曲した部材を焼成する焼成ステップと、を有することを特徴とする発熱体の製造方法である。押し出された部材を湾曲させた後焼成することにより、任意の形状に湾曲した発熱体を安価に製造出来る。
【手続補正２２】
【補正対象書類名】明細書
【補正対象項目名】００２６
【補正方法】変更
【補正の内容】
【００２６】
請求項１８に記載の発明は、直線状のガラス管を製造するガラス管製造ステップと、前記ガラス管に可撓性を有する１又は複数個の発熱体を封止する封止ステップと、前記発熱体が封止された前記ガラス管を加熱して湾曲させる湾曲ステップと、を有することを特徴とする赤外線電球の製造方法である。本発明によれば、標準品の発熱体を用いて、その発熱体を単体で湾曲させる工程を設けることなく、所定範囲で湾曲した発熱体を安価に製造出来る。
【手続補正２３】
【補正対象書類名】明細書
【補正対象項目名】００２７
【補正方法】変更
【補正の内容】
【００２７】
請求項１９に記載の発明は、直線状のガラス管を製造するガラス管製造ステップと、前記ガラス管を加熱して湾曲させる湾曲ステップと、湾曲した前記ガラス管に可撓性を有する１又は複数個の発熱体を封止する封止ステップと、を有することを特徴とする赤外線電球の製造方法である。本発明によれば、標準品の発熱体を用いて、その発熱体を単体で湾曲させる工程を設けることなく、所定範囲で湾曲した発熱体を安価に製造出来る。
【手続補正２４】
【補正対象書類名】明細書
【補正対象項目名】００２８
【補正方法】変更
【補正の内容】
【００２８】
請求項２０に記載の発明は、可撓性を有する１又は複数個の発熱体を封止した湾曲した前記ガラス管を加熱し、前記ガラス管の内側に凸部を形成する凸部形成ステップを更に有することを特徴とする請求項１８又は請求項１９に記載の赤外線電球の製造方法である。本発明は、部分的にガラス管の内側に設けた凸部によって発熱体をガラス管の中心に保持することができる。